Podtech/llm-jp-corpus-v4-ja_patent huggingface dataset:
(57)【要約】【課題】  本発明は、割り竹を収め、圧迫しながらスライドを繰り返すだけの一つの作業工程で、手入れができる竹刀手入れ具を提供する。【解決手段】  割り竹を収めて圧迫する割り竹圧迫部を設け、割り竹圧迫部の一方に握り部、他の一方に連接部を設けた割り竹圧迫ハンドルを設け、一対の割り竹圧迫ハンドルを割り竹圧迫部の山形の山の部分を外側にして対象の形で連接部で連結した竹刀手入れ具。【選択図】図１
2020036862.tif 000002
【特許請求の範囲】
【請求項１】
竹刀を手入れするための道具であって、
割り竹を収めて圧迫する割り竹圧迫部を設け、割り竹圧迫部の一方に握り部、他の一方に連接部を設けた割り竹圧迫ハンドルを設け、
一対の割り竹圧迫ハンドルを割り竹圧迫部の山形の山の部分を外側にして対象の形で連接部で連結した竹刀手入れ具。
【発明の詳細な説明】
【技術分野】
【０００１】  本発明は、竹刀の手入れをするときに使用する竹刀手入れ具に関するものである。
【背景技術】
【０００２】  竹刀は、長尺の割り竹４本からなっている。
割り竹の断面の形状は、略長方形である。
購入時の割り竹の略長方形のサイドには角部がある。
竹刀で打撃した際、この角部がこすれ、ささくれ（破損）の大きな要因となって竹刀の寿命を短くしていた。
竹刀の寿命を長くするためには、使用する前に、この角部を竹刀削りで削って、サイドを丸くし、表面をヤスリでなめらかにし、木片等で表面を圧迫しながらこすって表面を強くし、油やロウを塗る手入れをする。
この手入れには、手間暇がかかるので、手入れをせずに使用している人もいた。
使用中にささくれができた場合、ささくれを竹刀削りで除去し、使用前と同じ要領で手入れをする。
【先行技術文献】
【特許文献】
【０００３】
【特許文献１】特開２００５−１４４９１５号公報
【特許文献２】実開昭５１−１４０８９５号公報
【特許文献３】実開昭５５−２８３８２号公報
【特許文献４】実開昭６２−１８０４７８号公報
【特許文献５】特開２００７−２４２３６号公報
【発明の概要】
【発明が解決しようとする課題】
【０００４】  竹刀の手入れは、割り竹の略長方形のサイドの角部やささくれを除去してサイドを丸くし、表面をヤスリでなめらかにし、木片等で表面を圧迫しながらこすって表面を強くし、油やロウ等を塗る作業工程が必要で面倒であった。
このため、手抜きの手入れをして竹刀の寿命を短くしている人も散見される。
本発明は、以上の問題点を解決し、竹刀の寿命を長くするためになされたものである。
【課題を解決するための手段】
【０００５】  割り竹を収めて圧迫する山形の割り竹圧迫部を設け、圧迫部の一方に握り部、他の一方に連結部を設けた割り竹圧迫ハンドル設け、
一対の割り竹圧迫ハンドルを対象の形に連接部で連結した竹刀手入れ具である。
【発明の効果】
【０００６】  本発明は、割り竹を割り竹圧縮部に収め、圧迫しながらスライドさせるだけの作業なので面倒くさくない。
さらに、従来の竹刀削りによる手入れだと割り竹の８側面に対する作業が必要である。
ところが、本発明だと４本の割り竹に対する作業で済み、一作業工程なので短時間で手入れができる。
この作業により、割り竹の略長方形のサイドの角部を丸く成形し、表面をなめらかにし、表面の強度を高めるので竹刀の寿命を長くすることができる。
【図面の簡単な説明】
【０００７】
【図１】  本発明を開いた状態を示した斜視図である。
【図２】  本発明の使用状態を示した斜視図である。
【図３】  本発明の別の実施の形態を示した側面図である。
【発明を実施するための形態】
【０００８】  以下、本発明の実施の形態を説明する。
（イ）割り竹を収めて圧迫する山形の割り竹圧迫部（３）を設け、圧迫部の一方に握り部    （４）、他の一方に連結部（５）を設けた割り竹圧迫ハンドル（２）設ける。
（ロ）一対の割り竹圧迫ハンドル（２）を割り竹圧迫部（３）の山形の山の部分を外側に    して対象の形で連接部（５）で連結した竹刀手入れ具（１）である。
（ハ）割り竹圧迫ハンドルの材質は、スライドの容易性、及び圧迫するのに強度が必要な    ことから、金属（アルミ等）が適している。
（二）図３に示したように握り部（４）にグリップカバー（７）を設けることにより握っ    て圧迫しやすくなり、連接部（５）に連接部カバー（８）を設けることにより割り竹    圧迫ハンドル（２）状態が安定するので操作がしやすくなる。
本発明は、以上のような構造である。
【０００９】  本発明を使用するときは、図１に示すように割り竹圧迫ハンドル（２）を開く。
図２に示すように割り竹（６）を割り竹圧迫部（３）に収める。
割り竹（６）の略長方形の角部を割り竹圧迫部（３）で圧迫しながら割り竹（６）をスライドさせる。
角が丸くなるように竹刀手入れ具の角度を変えてスライドを反復する。
角が丸く成形できたら手入れが完了である。
【符号の説明】
【００１０】  １  竹刀手入れ具
２  割り竹圧迫ハンドル
３  割り竹圧迫部
４  握り部
５  連接部
６  割り竹
７  グリップカバー
８  連接部カバー
【図１】
2020036862.tif 000003
【図２】
2020036862.tif 000004
【図３】
2020036862.tif 000005
(57)【要約】【課題】紙製の組み立て式の鍋により、軽くコンパクトな使い切り鍋を提供する。【解決手段】紙１枚で形成された紙鍋本体（５）を折り収納空間を作り、紙製の支え部品（１）４つを本体差込口（３）８カ所に差し込み形成された、組み立て式の紙鍋を特徴とする。【特許請求の範囲】
【請求項１】
紙１枚で形成された紙鍋本体（５）を折り収納空間を作り、紙製の支え（１）４つを本体差込口（３）８カ所に差し込み形成された紙鍋。
【発明の詳細な説明】
【技術分野】
【０００１】本発明は、紙のみを組み合わせて形成した紙鍋である。
【背景技術】
【０００２】従来、紙を折り畳み、接着剤で接合し組み立てる紙鍋があった。
【先行技術文献】
【０００３】
【特許文献１】特開２０１１−１２０８０６号広報
【発明の概要】
【発明が解決しようとする課題】
【０００４】  従来、紙で形成された紙鍋は、本体を折って収納空間を作り、接合部分のノリシロに接着剤を用い組み立てていた。そのため接着剤が溶け出す、また、剥がれ漏れる問題があった。
本発明は、本体を紙のみで組み立てることによる使い切り紙鍋を提供し、問題を解決する。
【課題を解決するための手段】
【０００５】  本発明は、紙１枚で形成された紙鍋本体（５）を折り、紙製の差込口（３）８カ所に差し込み部品４つで固定することによって、紙鍋を紙のみで形成する。また、取手つき（８）折りたたみ紙製蓋（６）により、熱を逃げにくくした。
本発明は、以上の構成による、紙製蓋つきの紙鍋である。
【発明の効果】
【０００６】紙のみで形成しているため、軽く持ち運びやすく、使い切りの紙鍋を提供できる。
【図面の簡単な説明】
【０００７】
【図１】本発明の展開図である。
【図２】本発明の実地方法を示した説明図である。
【図３】本発明の実施方法を示した完成説明図である。
【発明を実施するための形態】
【０００８】以下、本発明を実施するための形態について説明する。
本体（５）を折り、紙製の支え部品（１）を差し込むことによって収納空間を作り、紙鍋を形成する。
折りたたんだ蓋（６）を本体上部に広げ設置し、紙鍋の熱を逃げにくくした。
これを使用するときは、本発明を組立て、コンロなどの熱源に乗せ、紙鍋に水を入れ熱して調理をする。水の沸点は１００度で、紙の発火点は４５０度であるため、水があれば紙鍋は燃焼せず、調理鍋として機能する。
【図１】
2020036864.tif 000002
【図２】
2020036864.tif 000003
【図３】
2020036864.tif 000004
(57)【要約】【課題】名刺交換用に名刺を収納する名刺入れは  単体として衣類のポケットなどに入れて携帯していたが昨今のクールビスの常態化により上着などを着用しないケースが増え、不意に名刺が必要となるケースで名刺入れの持ち合わせがなく、名刺交換が出来ず困るケースもあった。また最近はＩＤカードや身分証明証をカードケースに入れてストラップにて首から下げるスタイルが増加した。本発明は常用するカードケースに名刺入れの機能を兼ね備え、不意に名刺が必要な際でも対応可能なＩＤカードケースを提供する。【解決手段】ストラップにて首から下げることが可能なカードケースの正面より開閉可能で透明なため内部に挿入されたＩＤカードや身分証明証が外部より可視出来るカードポケット部を設け、その裏面に正面のカードポケット部の開閉部分とは別の開閉部分を設け、名刺が数枚収納可能で出し入れが容易な名刺ポケット部を設けて名刺を収納し、名刺を名刺交換等で使用する場合はストラップから取り外し  名刺入れとして使用する。【選択図】図１３
2020036865.tif 000002
【特許請求の範囲】
【請求項１】
ＩＤカードや身分証明証が挿入可能で、挿入したカードの外部からの可視が可能な透明な正面部分を有するカードポケット部（１）の裏にカードポケット部（１）と同一の背面を利用してポケット部（１）のカード挿入用の開閉部とは別の収納用の開閉部を有し名刺数枚が収納可能な名刺ポケット部（２）を設け、上部に取り付けた取り外し可能なストラップにて首からの吊り下げての携帯が可能なＩＤカーケース。
【発明の詳細な説明】
【技術分野】
【０００１】  本発明は名刺入れの機能を併せ持つＩＤカードホルダーに関する物である。
【背景技術】
【０００２】  従来、ＩＤカードや社員証、身分証明証を差し込んで首から吊り下げて使用するＩＤカードホルダーには  名刺入れとしての機能を持つ物はなく、ＩＤカードホルダーとは別に名刺入れを携帯していた。
【発明の概要】
【発明が解決しようとする課題】
【０００３】  従来、ＩＤカードや社員証、身分証明証を差し込こみ、首から吊り下げて利用するＩＤカードホルダーには名刺入れの機能を兼ね備えた物は見当たらず、名刺入れは単体として衣類のポケットやカバン等に入れて携帯して利用したが昨今のクールビスの導入やビジネスの際の服装の多様化により上着を着用しない場合も増加し、ズボン等のポケットに入れての携帯もポケットのサイズに対して名刺入れのサイズが比較的に大きいため名刺入れを携帯しない場合が増え  不意に名刺が必要な場面に対応出来ない場合があった。またソフトタイプのＩＤカードホルダーに名刺を入れての併用も試みたが名刺が曲ってしまう不備が多かった。
【課題を解決するための手段】
【０００４】  ＩＤカードや身分証明証や社員証が挿入可能なサイズで外部からか挿入したカードが可視出来るカードポケット部（１）の裏側にカードポケット部（１）と同一の背面を共有し、別の開口部からの名刺の出し入れが可能な名刺ポケット部（２）を設け、名刺ポケット部（２）の上部に取り外し可能なストラップを取り付ける。以上の構成よりなるＩＤカードケース
【発明の効果】
【０００５】  本発明を使用する事によってＩＤホルダー装着時には常に名刺を数枚所有する事が可能で、不意に名刺が必要となった場合もストラップから本発明を取り外し  通常の名刺入れとしての使用が可能となる。また名刺入れを所有している場合の名刺のストックのホルダーとしての機能も兼ね備える。
【図面の簡単な説明】
【０００６】
【図１】本発明の正面からの斜視図
【図２】カードポケット部（１）を開いた際の正面からの斜視図
【図３】本発明の正面とは反対側からの斜視図
【図４】名刺ポケット部（２）を開けた際の正面と反対側からの斜視
【図５】本発明の側面図
【図６】本発明のカードポケット部（１）を開けた際の側面図
【図７】図１におけるＡ−Ａ線断面図
【図８】図７におけるカードポケット部（１）の固定用凹凸の詳細図
【図９】図１におけるＢ−Ｂ線断面図
【図１０】図９における名刺ポケット部（２）の固定用凹凸の詳細図
【図１１】本発明の下からの姿図
【図１２】本発明の名刺ポケット部（２）の開口部を開いた際の姿図
【図１３】ＩＤカード等とカードポケット部（１）の関係図
【図１４】名刺と名刺ポケット部（２）の関係図
【発明を実施するための形態】
【０００７】    以下、本発明の実施の形態を説明する。
ＩＤカードや身分証明証や社員証がそのまま収納可能なサイズで前面が透明である為、挿入されたＩＤカードや身分証明証や社員証が外部から可視可能なカードポケット部（１）の裏側にカードポケット部（１）と同一の背面を共有し、カードポケット部（１）の開口部とは別の開口部より名刺の出し入れが可能な名刺ポケット部（２）を設け、名刺ポケット部（２）の上部に取り外し可能なストラップを取り付ける。
【符号の説明】
【０００８】  １  カードポケット部
２  名刺ポケット部
３  ストラップ
４  名刺ポケット部の開口部
５  カードポケット部の固定用の凹凸
６  名刺ポケット部の固定用の凹凸
７  ＩＤカード、身分証明証、名刺
８  名刺
【図１】
2020036865.tif 000003
【図２】
2020036865.tif 000004
【図３】
2020036865.tif 000005
【図４】
2020036865.tif 000006
【図５】
2020036865.tif 000007
【図６】
2020036865.tif 000008
【図７】
2020036865.tif 000009
【図８】
2020036865.tif 000010
【図９】
2020036865.tif 000011
【図１０】
2020036865.tif 000012
【図１１】
2020036865.tif 000013
【図１２】
2020036865.tif 000014
【図１３】
2020036865.tif 000015
【図１４】
2020036865.tif 000016
(57)【要約】【課題】  蓋を開けないでごみを投入することができるが、大きな投入口を実現しつつ投入したごみが目立つことがないごみ箱を簡易な構造で実現する。【解決手段】  平面円形の蓋３１の天板を平面方向で２分割し、一方の天板３２を分割端面において他方の天板の分割端面との間で隙間が生じるように、天板外縁から分割端面に向かって順次凹むよう円弧状に凹陥させるとともに、他方の天板３３を天板外縁から分割端面に向かって順次盛り上がるように隆起させることにより上記隙間をもってごみの投入口３４とする。【選択図】  図１
2020111472.tif 000002
【特許請求の範囲】
【請求項１】
平面円形の蓋の天板を平面方向で２分割し、一方の天板を分割端面において他方の天板の分割端面との間で隙間が生じるように、天板外縁から分割端面に向かって順次凹むよう円弧状に凹陥させるとともに、他方の天板を天板外縁から分割端面に向かって順次盛り上がるように隆起させたことを特徴とするごみ箱の蓋。
【請求項２】
請求項１に記載のごみ箱の蓋をもって被蓋したことを特徴とするごみ箱。
【発明の詳細な説明】
【技術分野】
【０００１】
本願発明は家庭や事務所等で使用に供される可搬性のごみ箱に関する。
【背景技術】
【０００２】
従来、この種のごみ箱としては丸形或いは角形のバケツ状のごみ箱本体に蓋を設けたものが公知であった。前記の場合において、本体に投入したごみが目立たないようにするには蓋の存在が必須であった。
【０００３】
前記の場合、ごみを投入するには当然のことながら蓋を開ける行為が必要であり、ごみ箱本体に対し蓋を取り外し自在に設けたごみ箱（例えば特許文献１記載のごみ箱）においては、ごみを投入する都度手で蓋を外す作業が必要であり繁雑であった。
【０００４】
一方、前記の繁雑さを無くすためにごみ箱本体の開口にフラップ状に開閉する蓋板を設けたごみ箱や（例えば特許文献２記載のごみ箱）、蓋板がスイングするごみ箱（例えば特許文献３記載のごみ箱）が公知であった。
【先行技術文献】
【特許文献】
【０００５】
【特許文献１】実登３１９８６１４号公報
【特許文献２】特開２００２−１６７００１号公報
【特許文献３】特開平０９- １２４１０３号公報
【発明の開示】
【発明が解決しようとする課題】
【０００６】
後者のごみ箱中、フラップ状に開閉する蓋板を設けたごみ箱はワンタッチで蓋が開くので使い勝手がよかったが、ごみ箱本体の開口に枢支部をもってフラップ状に開閉する蓋板を設けるとともに、ごみ箱下方に設けた回動杆の上下動により昇降する昇降部材の当接により上記蓋板を押し上げる機構が必要であり、構造が複雑で部品点数や組み立て手間が増大し、製造コストが嵩む問題があった。
【０００７】
また、蓋板がスイングするごみ箱は、蓋が中心線上において支持され、この蓋が支持部を中心として左右に回動するという構造上、デスクサイドで特に頻度が高い長さのある紙片は投入しにくく、フラップ状に開閉する蓋板を設けた前記のものより機構が簡単ではあるが部品点数や組み立て手間はそれなり増大し、製造コストもそれなりに嵩む問題があった。
【０００８】
一方、デスクサイドやベッドサイドでちょっとしたごみをその都度入れるための小型のごみ箱の需要がある。この種のごみ箱には製造コストが嵩む前記２種の機構は馴染まず、かといってちょっとしたごみをその都度入れるという目的からは取り外し自在の蓋をごみ箱本体に対し設けることも作業が繁雑になるので馴染まず、やむなく蓋を設けないごみ箱が使用されていた。
【課題を解決するための手段】
【０００９】
本願発明は以上の従来技術の問題点を解消したごみ箱の蓋およびごみ箱を提供することを目的として創作されたものであり、平面円形のごみ箱の蓋の天板を平面方向で２分割し、一方の天板を分割端面において他方の天板の分割端面との間で隙間が生じるように、天板外縁から分割端面に向かって順次凹むよう円弧状に凹陥させるとともに、他方の天板を天板外縁から分割端面に向かって順次盛り上がるように隆起させたことを特徴とする。
【００１０】
また、請求項２に記載のごみ箱は、前記の蓋をもって被蓋したことを特徴とする。
【発明の効果】
【００１１】
本願発明のごみ箱によれば、ごみは一方の天板と他方の天板の分割端面との間に生じた隙間から投入できるので蓋を開けないでごみを投入することができる。そして、この場合、一方の天板と他方の天板間には平面的には隙間は存せず、ごみの投入口となる前記の隙間はごみ箱の上下方向に存するだけなのでごみの投入口は蓋の上方からは見えず投入したごみが目立つことが防止される。一方、以上の作用は前記の従来技術のように可動部材を使用せずとも、蓋の形状の工夫だけで生じるので、極めて低コストで製造することが可能となる。
【００１２】
前記において、天板を平面方向で２分割し、一方の天板を分割端面において他方の天板の分割端面との間で隙間が生じるように、天板外縁から分割端面に向かって順次凹むよう凹陥させるとともに、他方の天板を天板外縁から分割端面に向かって順次盛り上がるように隆起させているので、ごみ箱の大きさに比してより大きな投入口を実現することができる。
【図面の簡単な説明】
【００１３】
【図１】本願発明のごみ箱の蓋の斜視図。
【図２】同上、断面図。
【図３】本願発明のごみ箱の斜視図。
【発明を実施するための最良の形態】
【００１４】
以下、本願発明のごみ箱の蓋およびごみ箱の具体的実施例を添付図面に基づいて説明する。図１〜２は本願発明のごみ箱の蓋の実施例を示す図である。ここでは蓋３１はプラスチックにより一体成型されるものであり、平面円形の蓋の天板を平面方向で２分割し、一方の天板３２を分割端面において他方の天板３３の分割端面との間で隙間が生じるように、天板外縁から分割端面に向かって順次凹むよう円弧状に凹陥させるとともに、他方の天板を天板外縁から分割端面に向かって順次盛り上がるように円弧状に隆起させることにより上記隙間をもってごみの投入口３４としている。
【００１５】
図３は前記蓋３１を丸形のバケツ状のごみ箱本体３５と組み合わせたごみ箱である。
【符号の説明】
【００１６】
３１      ごみ箱の蓋
３２      一方の天板
３３      他方の天板
３４      ごみの投入口
３５      ごみ箱本体
【図１】
2020111472.tif 000003
【図２】
2020111472.tif 000004
【図３】
2020111472.tif 000005
(57)【要約】【課題】複数種類の分別に対応しながら、コンパクトなごみ箱とする。【解決手段】ごみを分ける仕切りを可動式にする。また、ごみ箱の側面が大きく開く構造とする。【選択図】図１
2020111465.tif 000002
【特許請求の範囲】
【請求項１】
投入口が複数あり、内部の仕切りは可動式にすることにより、各ごみの増減多少にかかわらず、最大限のごみを格納できることを特徴とする分別式ごみ箱。
【請求項２】
複数のごみ袋の口を支持する機能を持ち、また、分割または横から大きく開くことによって、ごみを容易に取り出すことができる基部をもつ分別式ごみ箱。
【請求項３】
請求項２記載の基部に設置することにより、各ごみ袋の口を固定するとともに投入口となるカバー部をもつ分別式ごみ箱。
【発明の詳細な説明】
【技術分野】
【０００１】      本発明は、分別可能なごみ箱に関するものである。
【発明の概要】
【発明が解決しようとする課題】
【０００２】      解決しようとする問題は、分別式のごみ箱は場所をとる点であり、複数種類のごみを分けて収納しながら、場所をとらず、ごみの取り出しも容易であるごみ箱を提供することが課題である。
【課題を解決するための手段】
【０００３】固定された仕切り壁をなくし、ごみ袋のみでごみを仕切る。また、基部の側面が大きく開く構造とする。
【発明の効果】
【０００４】仕切りが可動となることにより、各ごみの最大容量が増大する。それにより、各ごみの増減多少にかかわらず、ごみ箱全体の容量までごみを収納することが可能となる。また、基部の側面が大きく開くことにより、ごみを押し込んだ後でもごみの取り出しが容易となる。
【図面の簡単な説明】
【０００５】
【図１】  使用方法を示した説明図である。
【図２】  基部の一部の形状を示した図である。
【図１】
2020111465.tif 000003
【図２】
2020111465.tif 000004
(57)【要約】      （修正有）【課題】悪性リンパ腫の再発を抑制する方法の提供。【解決手段】Ｂ細胞悪性リンパ腫の再発を繰り返した患者に規定量のリツキシマブを点滴後、狭心症患者が服用する高脂血症薬を用いてリンパ組織内の脂質とコレステロールを低下させることにより長期間ガンの再発を阻止する方法。【選択図】なし【特許請求の範囲】
【請求項１】
Ｂ細胞悪性リンパ腫の再発を繰り返した患者に規定量のリツキシマブを点滴後、狭心症患者が服用する高脂血症を用いてリンパ組織内の脂質とコレステロールを低下させることにより長期間ガンの再発を阻止する方法。
【発明の詳細な説明】
【発明の詳細な説明】
【課題０００１】
この発明は悪性リンパ腫の患者である本人が１５年間悪性リンパ主と苦闘した結果発見された技術である。
【課題０００２】
悪性リンパ腫が完治することのないガンの原因はＢ細胞悪性リンパ腫はＣＤ２０抗原に対する抗体をもたないためヒトとマウスのキメラ細胞から造った抗体で治療している。点滴用の抗ガン剤としてはリツキシマブの名前で使用されている。リツキシマブの構造を改変して放射性イットリウムとキレート化したぜヴァリンもドイツバイエルから空輸して使用されている。この抗ガン剤は一生に一度しか使用出来ない。現状としてはリツキシマブが広く多くの患者に使用されている。
【課題０００３】
リツキシマブは一カ月に４回の点滴を行って寛解になるが一年以内に再発を繰り返す。再発を防ぐにはリンパ腫の抗原を発生させない技術が必要と考えた。
【課題０００４】
ヒトの腸からの栄養分は毛細血管から吸収されるが脂肪とコレステロールだけが毛細リンパ管に吸収され体内のリンパ組織を循環する。コレステロールは体のあらゆる箇所で固形物をつくり病気の原因になることが知られている。リンパ管内のコレステロールがガンの抗原をつくる可能性を考えた。コレステロールを減少さす高脂血症薬を服用すればリンパ腫再発を防げると考えていた。
【課題０００５】
リンパ腫発癌から１１年経過したとき患者は狭心症になり二種類の高脂血症薬を服用するようになった。その時に点滴したリツキシマブは２年経過して３年目になっても寛解が続いている。
【課題０００６】
腫瘍の進行状況の検査はＰＥＴ−ＣＴ、リンパエコー、ＩＬ２、で行った
【課題０００７】
抗ガン剤の薬価と高脂血症薬の価額を比較すると１％以下で医療費の経済効果が大きく、ガンの苦痛からもおおくの人を救うことが出来る。